(57)【要約】【課題】通信ネットワークを介して複数のウェブサイトにアクセス可能なユーザー端末に、個々のユーザー端末から取得される情報に基づいて、偏りのない幅広い情報を提供する。【解決手段】通信ネットワークを介して接続するサーバとユーザー端末からなるウェブサイトアクセスシステムにおいて、サーバのデータベースに格納されているウェブサイト選択基礎情報が、サーバの通信手段からユーザー端末に送信され、送信されたウェブサイト選択基礎情報に含まれる回答要求に対する回答を、ユーザー端末が通信手段に送信し、サーバが、回答に基づいて特定のウェブサイト識別情報を選択し、選択された特定のウェブサイトにユーザー端末を強制的にアクセスさせることを特徴とする。【選択図】図２
2009129011.tif 000002
【特許請求の範囲】
【請求項１】
通信ネットワークを介して接続するサーバとユーザー端末からなるウェブサイトアクセスシステムであって、前記サーバがデータベースと通信手段と記憶手段を備えており、
前記サーバが前記ユーザー端末から提供される情報に基づいて前記データベースに格納されている特定のウェブサイト識別情報を選択し、選択されたウェブサイト識別情報に基づいて前記ユーザー端末が複数のウェブサイトにアクセス可能に構成されているウェブサイトアクセスシステムにおいて、
前記記憶手段に格納されているコンテンツを起動することによって、前記データベースに格納されているウェブサイト選択基礎情報が、前記通信手段から前記ユーザー端末に送信され、
送信された前記ウェブサイト選択基礎情報に含まれる回答要求に対する回答を、前記ユーザー端末が前記通信手段に送信し、
前記サーバが、前記回答に基づいて特定のウェブサイト識別情報を選択し、選択された特定のウェブサイトに前記ユーザー端末を強制的にアクセスさせることを特徴とする、ウェブサイトアクセスシステム。
【請求項２】
前記ウェブサイト選択基礎情報が企業ならびにその業務に関連する質問であることを特徴とする、請求項１に記載のウェブサイトアクセスシステム。
【発明の詳細な説明】
【技術分野】
【０００１】
本発明は、ユーザー端末から提供される情報に基づいて特定のウェブサイト識別情報を選択し、選択されたウェブサイト識別情報に基づいてユーザー端末が複数のウェブサイトにアクセス可能に構成されているウェブサイトアクセスシステムに係る。
【背景技術】
【０００２】
通信ネットワーク技術の進歩に伴い、通信ネットワークを情報収集手段として利用するための技術が開示されている。最も基本的なものとして、例えば特許文献１に開示されるような、インターネットなどの通信ネットワークに接続されたユーザー端末からの要求に応え、予め多数のウェブサイト識別情報を記憶したデータベースから、要求される情報を検索して提供する、検索エンジンシステムが用いられている。また、いわば検索エンジン最適化手法の１つとしてのウェブリング技術は、環状に結合されたインターネット内の複数のウェブサイトの集合体間において、固定的な順序あるいはランダムな順序でのウェブサイトへのアクセスを可能とする。ユーザー端末のユーザーは、これらの技術を利用してネットサーフィンをすることで情報を収集することが可能である。
【０００３】
【特許文献１】特開２００２−１８９７４２
【発明の開示】
【発明が解決しようとする課題】
【０００４】
上述した検索エンジンシステムは、予め記憶されたデータベース内のウェブサイト関連情報に基づき、ユーザーが要求する情報に関連するウェブサイト識別情報を提供するものであるが、不特定多数のユーザーのニーズに応えるべく、提供されるのは通常、多数ユーザーに利用されている特定のウェブサイト識別情報である。従って、従来技術の検索エンジンシステムでは、ユーザーに提供されるウェブサイト識別情報が偏ったものとなる可能性が高い。又、検索エンジンシステムは、一定程度の情報分析能力のあるユーザーが能動的に特定の情報を取得する目的を有していることを前提としているが、この前提は、例えば年少者のような、これから新たな知識を学習しようとするユーザーには必ずしも妥当しない。ウェブリング技術に関しては、ウェブサイト間のアクセスが、固定された順序あるいはランダムな順序でなされるため、個々のユーザーにとり最適なウェブサイトへのアクセスが実現しないおそれがある。
【０００５】
本発明の課題は、通信ネットワークを介して複数のウェブサイトにアクセス可能なユーザー端末に、個々のユーザー端末から取得される情報に基づいて、偏りのない幅広い情報を提供することのできるウェブサイトアクセスシステムを構築することにある。
【課題を解決するための手段】
【０００６】
通信ネットワークを介して接続するサーバとユーザー端末からなるウェブサイトアクセスシステムであって、サーバがデータベースと通信手段と記憶手段を備えており、サーバがユーザー端末から提供される情報に基づいてデータベースに格納されている特定のウェブサイト識別情報を選択し、選択されたウェブサイト識別情報に基づいてユーザー端末が複数のウェブサイトにアクセス可能に構成されているウェブサイトアクセスシステムにおいて、記憶手段に格納されているコンテンツを起動することによって、データベースに格納されているウェブサイト選択基礎情報が、通信手段からユーザー端末に送信され、送信されたウェブサイト選択基礎情報に含まれる回答要求に対する回答を、ユーザー端末が通信手段に送信し、サーバが、回答に基づいて特定のウェブサイト識別情報を選択し、選択された特定のウェブサイトにユーザー端末を強制的にアクセスさせることを特徴とする。
【０００７】
一実施例において、本発明に従ったウェブサイトアクセスシステムは、ウェブサイト選択基礎情報が企業ならびにその業務に関連する質問であることを特徴とする。
【発明を実施するための最良の形態】
【０００８】
図１は、本発明に従ったウェブサイトアクセスシステム１００の全体構成を示すものである。本発明に従ったウェブサイトアクセスシステム１００は、通信ネットワーク１０４を介して接続するサーバ１０２とユーザー端末１０１からなる。パーソナルコンピュータや携帯電話機等のユーザー端末１０１とサーバ１０２が、例えばインターネットである通信ネットワーク１０４を介して接続しており、複数のウェブサイト１０３にアクセス可能に構成されている。複数のウェブサイト１０３は、主に企業により管理されるウェブサイトであるが、それに限定されるものではない。以下では、説明を容易にするために、ウェブサイト１０３が企業により運営されるウェブサイトであると想定して説明する。
【０００９】
図２は、図１に示すウェブサイトアクセスシステム１００のより詳細な構成を示す図である。本実施例において、サーバ１０２は、データベース１０５と、通信手段１０６及び記憶手段１０７及び図示しない制御手段を備えている。データベース１０５には、ウェブサイト識別情報、ユーザー情報、ユーザー回答履歴情報及びウェブサイトを運営する企業情報等の情報が格納されている。このデータベース１０５に記憶した各種情報に基づいて、格納されている複数のウェブサイト識別情報のうちの特定の１つが選択される。サーバ１０２は、通信手段１０６により、通信ネットワーク１０４上の複数のウェブサイト１０３a、１０３b及び１０３cにアクセス可能であり、通信ネットワーク１０４を介して接続するパーソナルコンピュータや携帯電話機等のユーザー端末１０１との情報通信を行う。ウェブサイト１０３aは、業種Aの企業群のウェブサイト群のうちの１つを示している。ウェブサイト１０３ｂ、１０３ｃは、それぞれ業種B、業種Cの企業群のウェブサイト群のうちの１つを示している。図２には、ウェブサイト１０３a乃至cのみを図示しているが、それに限られるものではない。複数のウェブサイト１０３a乃至cの各々には特定のアイコンIが設けられており、このアイコンIを介して、ウェブサイト１０３a乃至cの何れかにアクセスしているユーザー端末１０１がサーバ１０２と接続するように構成されている。記憶手段１０７には、コンテンツ及び個々のユーザーのためのウェブページが格納されている。本実施例において、記憶手段１０７に格納されているコンテンツは、例えばクイズなどのゲームプログラムである。
【００１０】
図３Aは、本発明の一実施例のフローチャートを示している。以下、具体的に説明する。まず、ステップ１において、ユーザー端末１０１のユーザーが、ユーザー端末１０１を操作して、企業のウェブサイト１０３aのウェブページ上に設置された特定のアイコンIをクリックし、ユーザー端末１０１がサーバ１０２と接続する。ステップ２において、サーバ１０２は、データベース１０５に格納されたユーザー情報に基づいて、ユーザー認証を行う。ユーザー登録をしていないユーザーは、ステップ２において、新規ユーザー登録を行うことも可能である。ステップ３において、サーバ１０２の制御手段が、記憶手段１０７に格納されたコンテンツを起動する。ステップ４において、データベース１０５に格納されたウェブサイト選択基礎情報が通信手段１０６によって、ユーザー端末１０１に送信される。ここにいうデータベース１０５に格納されたウェブサイト選択基礎情報には、例えば、ウェブサイト１０３aを運営する企業に関連する情報、ウェブサイト１０３aを運営する企業の業種に関連する情報、ユーザー情報等が含まれ、これらの情報を組み合わせ、ユーザー端末１０１に対して複数の質問を提供することが可能である。質問の内容は、当業者により適宜設定することが可能である。例えば、企業の業務内容や社会における企業の役割に関する質問等が想定され、年少者の理解促進を図るべく、児童心理学に基づいて質問が決定されるのが望ましい。ステップ５において、ユーザー端末１０１のユーザーが、ステップ４において提供された複数の質問に対する回答を、ユーザー端末１０１を操作することによって入力し、入力された回答は、サーバ１０２の通信手段１０６に送信される。
【００１１】
ステップ６において、ステップ５においてユーザー端末１０１から送信された回答及びユーザー端末１０１のユーザーからの回答履歴を、データベース１０５に格納する。ステップ６においてさらに、ウェブサイト１０３aを管理する企業やその企業の業種に関する情報やユーザーの属性情報等を格納することも可能である。ユーザーの属性情報として、例えば、ステップ４において提供された複数の質問に対する回答の正答率に応じて得られるステータス情報が含まれるが、これに限定されるものではない。ステップ７において、ステップ６において格納された情報に基づいて、サーバ１０２の制御手段が特定のウェブサイト識別情報を選択し、ユーザー端末１０１を、選択されたウェブサイト識別情報により識別されるウェブサイトに、強制的にアクセスさせる。アクセス先ウェブサイトの決定は、当業者により適宜設定されたアルゴリズムに基づいて行われる。企業により管理されるウェブサイトを例にとれば、各企業間の業種の類似性等に基づいて、アクセス先ウェブサイトを決定することが可能である。これにより、特定のウェブサイトのみにアクセスが集中することがなくなり、情報収集の偏りを防止することが出来る。
【００１２】
図３Bは、本発明の別の実施例のフローチャートを示している。図３Aの実施例においては、企業のウェブサイト１０３からの処理手順を示すのに対して、図３Bの実施例においては、サーバ１０２により管理されるウェブサイトからの処理手順を示している。まず、ステップ１において、サーバ１０２は、データベース１０５に格納されたユーザー情報に基づいて、ユーザー認証を行う。次に、ステップ２において、ユーザーは自己のウェブページ内の自己の履歴情報その他の属性情報を含む情報を参照し、それに基づいて、コンテンツを起動するか、企業により管理されるウェブサイト１０３にアクセスするかを決定する。ユーザーが、コンテンツを起動させることを選択する場合には、図３Aのステップ３に進み、その後の処理手順は、図３Aにおいて説明したとおりである。ユーザーが、企業のウェブサイト１０３へアクセスすることを選択する場合、図３Bのステップ３において、ユーザー端末１０１が選択された企業のウェブサイト１０３へアクセスする。
【００１３】
本明細書に挙げた実施例及び条件付きの用語は全て、読者が本発明の原理をよりよく理解できるように示されているものであり、本発明は、本明細書中具体的に挙げた実施例および条件には限定されるものではない。さらに、本明細書に記載されている表現は全て、その機能上の等価物を広く包含することが理解されるべきである。
【図面の簡単な説明】
【００１４】
【図１】本発明に従ったウェブサイトアクセスシステムの概略図である。
【図２】本発明に従ったウェブサイトアクセスシステムの詳細を示す図である。
【図３】３Ａは本発明の一実施例のフローチャートであり、３Ｂは本発明の別の実施例のフローチャートである。
【符号の説明】
【００１５】
１００  ウェブサイトアクセスシステム
１０１  ユーザー端末
１０２  サーバ
１０３  ウェブサイト
１０４  通信ネットワーク
１０５  データベース
１０６  通信手段
１０７  記憶手段
【図１】
2009129011.tif 000003
【図２】
2009129011.tif 000004
【図３】
2009129011.tif 000005